(57)【要約】      （修正有）【課題】袋本体の口を開いて注湯する際、口が内方に縮みにくい嗜好性飲料抽出袋を提供する。【解決手段】この嗜好性飲料抽出袋は、コーヒー粉等の被抽出物を収納しコーヒー等を抽出するための袋本体１と、袋本体１よりも小形であって、袋本体１の表裏面に貼着された剛性のある紙製係止具とからなる。袋本体１は熱可塑性繊維を構成繊維とする布帛を素材とする。袋本体１は、重ね合わされた略五角形片の下端から左右の延びる下左右辺δ及びεが熱封緘されている。略五角形片の水平である上辺α及び上辺αに連続している上左右辺β及びγが袋本体１の口１ａとなる。紙製係止具は、袋本体１の上辺α、上左右辺β及びγに沿うと共に、袋本体１の下左右辺δ及びεの上部近傍に至って貼着されている。この上部近傍に位置する表裏の紙製係止具の部位は、袋本体１を構成している熱可塑性繊維の溶融固化により表裏が接着されている。【選択図】図３
2015223270.tif 000002
【特許請求の範囲】
【請求項１】
コーヒー粉等の被抽出物を収納しコーヒー等を抽出するための袋本体と、該袋本体よりも小形であって、該袋本体の表裏面に貼着された剛性のある紙製係止具とからなる嗜好性飲料抽出袋において、
前記袋本体は熱可塑性繊維を構成繊維とする布帛を素材とし、その形状が
2015223270.tif 000005
なる左右対称の略五角形片が重ね合わされてなるものであり、該略五角形片の下端から左右の延びる下左右辺は熱封緘されていて、該略五角形片の下端が該袋本体の底部に相当し、該略五角形片の水平である上辺及び該上辺に連続している上左右辺が該袋本体の口に相当し、
前記紙製係止具は、前記袋本体の前記上辺及び前記上左右辺に沿うと共に、前記袋本体の前記下左右辺の上部近傍に至って貼着されており、かつ、該上部近傍に位置する表裏の紙製係止具の部位は、前記袋本体を構成している熱可塑性繊維の溶融固化により表裏が接着されていることを特徴とする嗜好性飲料抽出袋。
【請求項２】
略五角形片の下端のなす角度が９０度であり、上辺と該上辺に連続している上左右辺のなす各角度が１３５度±５％である請求項１記載の嗜好性飲料抽出袋。
【請求項３】
下左右辺の封は、下左右辺と平行になされている請求項１記載の嗜好性飲料抽出袋。
【発明の詳細な説明】
【技術分野】
【０００１】
本発明は、コーヒー粉や茶葉等を収納してなる嗜好性飲料抽出袋に関し、注湯時に袋の口が内方に縮みにくく、かつ、コクのある風味の嗜好性飲料が得られる嗜好性飲料抽出袋に関するものである。
【背景技術】
【０００２】
嗜好性飲料抽出袋は、その内部にコーヒー粉や茶葉等の被抽出物を収納してなるものであり、袋の口を開き、カップの上縁に係止して湯を注ぐことによって、コーヒーや茶が抽出されるものである。かかる嗜好性飲料抽出袋としては種々のタイプがあるが、図１及び図２に示したタイプのものが知られている。すなわち、コーヒー粉等の被抽出物を収納しコーヒー等を抽出するための袋本体１と、この袋本体１の表裏面に貼着された係止具２とからなるものが知られている（特許文献１）。袋本体１は通水性の不織布や紙を素材として形成されており、係止具２は通水性のない厚手の紙を素材として形成されている。そして、表裏面に貼着された各係止具２は、手指で持って相互に反対方向に引っ張られ、袋本体１の口１ａが開けられると共に、カップの上縁に各係止具２によって係止及び保持され、袋本体１の口１ａへ湯が注がれるのである。
【０００３】
袋本体１の形状が長方形である図１に示した抽出袋は、口１ａを開けた場合、全体が略直方体形状となり、その底部１ｂが漏斗の如く細長い形状にならず、注いだ湯の滞留時間が短く、抽出が不十分となることがあった。たとえば、コーヒー粉の場合、抽出されたコーヒーが薄く、糖度も低いものとなり、コクのある風味のコーヒーが得られにくいという欠点があった。一方、袋本体１の形状が扇形である図２に示した抽出袋は、口１ａを開けた場合、全体が略円錐形状となり、その底部１ｂが漏斗の如く細長い形状となっているため、注いだ湯の滞留時間が長くなり、十分に抽出された嗜好性飲料を得ることができる。しかしながら、図２に示した袋本体１の場合、口１ａを開いたとき、略円錐形状の口縁が水平にならず、大きく湾曲した形状となる。したがって、湾曲した最上位置と最下位置との差が大きく、湯を注ぐと、最下位置から湯が外に漏れてしまうという欠点があった。
【０００４】
このため、本件発明者等は、特願２０１４−５４２０９に係る発明（先願発明）を提案した。この先願発明は、図３及び図４に示した形状の袋本体１を用いることにより、上記した欠点を解決したものである。すなわち、コーヒー粉等の被抽出物を収納しコーヒー等を抽出するための袋本体１と、袋本体１の表裏面に貼着された係止具２とからなる嗜好性飲料抽出袋において、袋本体１は
2015223270.tif 000003
なる左右対称の略五角形片が重ね合わされてなるものであり、略五角形片の下端から左右の延びる下左右辺δ及びεは封されていて、略五角形片の下端１ｂが袋本体１の底部に相当し、略五角形片の水平である上辺α及び上辺αに連続している上左右辺β及びγが袋本体１の口１ａに相当することを特徴とする嗜好性飲料抽出袋に係るものである。
【０００５】
【特許文献１】特願２０１４−５４２０９号明細書及び図面
【発明の開示】
【発明が解決しようとする課題】
【０００６】
本発明は先願発明の改良発明に関するものであり、先願発明に係る嗜好性飲料抽出袋を特定の紙製係止具２によってカップの上縁に係止し、注湯したときに袋本体１の口１ａが内方に縮みにくくしたものである。
【課題を解決するための手段】
【０００７】
本発明は、特定の紙製係止具２の特定部位を表裏において接着するという手段を採用することによって、注湯時において口が内容に縮みにくくしたものである。すなわち、本発明は、コーヒー粉等の被抽出物を収納しコーヒー等を抽出するための袋本体と、該袋本体よりも小形であって、該袋本体の表裏面に貼着された剛性のある紙製係止具とからなる嗜好性飲料抽出袋において、前記袋本体は熱可塑性繊維を構成繊維とする布帛を素材とし、その形状が
2015223270.tif 000004
なる左右対称の略五角形片が重ね合わされてなるものであり、該略五角形片の下端から左右の延びる下左右辺は熱封緘されていて、該略五角形片の下端が該袋本体の底部に相当し、該略五角形片の水平である上辺及び該上辺に連続している上左右辺が該袋本体の口に相当し、前記紙製係止具は、前記袋本体の前記上辺及び前記上左右辺に沿うと共に、前記袋本体の前記下左右辺の上部近傍に至って貼着されており、かつ、該上部近傍に位置する表裏の紙製係止具の部位は、前記袋本体を構成している熱可塑性繊維の溶融固化により表裏が接着されていることを特徴とする嗜好性飲料抽出袋に関するものである。
【０００８】
本発明に用いる袋本体１は、熱可塑性繊維を構成繊維とする布帛を素材とするものである。熱可塑性繊維としては、ポリエステル繊維、ナイロン繊維、ポリオレフィン繊維等が用いられる。そして、かかる熱可塑性繊維を構成繊維とする不織布や編織物等の布帛を素材とするものである。特に、熱可塑性長繊維又は熱可塑性短繊維を構成繊維とする不織布であるのが好ましく、部分的に熱圧着されているエンボスタイプの不織布であるのが好ましい。
【０００９】
本発明の袋本体１は、図３に示す如く左右対称の略五角形片の形状を持つ（紙製係止具２の図示は省略してある。）。ここで、略五角形片というのは、基本的に五角形なる形状を持つ片を意味しており、上記図の各角が若干切除されていても又は各角が丸みを持っていても、上辺α、上右辺β、上左辺γ、下右辺δ及び下左辺εの五辺で、基本的に形成されてなる片のことを意味している。重ね合わされた表裏の略五角形片の下左右辺δ及びεは、下左右辺δ及びεに沿って平行に熱シール等で熱封緘されている。この熱封緘は、袋本体１を構成している熱可塑性繊維の溶融固化によってなされるのが一般的である。この場合、熱封緘された熱封緘部３は半透明なフィルム状となっている。そして、上辺α、上左右辺β及びγは封されておらず、袋本体１を開いたときは、この上辺α、上左右辺β及びγが袋本体１の口１ａになる。下左右辺δ及びεの交点は袋本体１の底部１ｂとなるもので、この交点のなす角度は９０度であるのが好ましい。もちろん、厳密に９０度である必要はなく、８５〜９４度程度の範囲の誤差があってもよい。上辺αと上右辺β及び上αと上左辺γのなす角度は、１３５度±５％程度の範囲が好ましい。
【００１０】
袋本体１の表裏に貼着される紙製係止具２は、袋本体１よりも小形のものであり、剛性のある紙を素材としている。剛性のある紙とは、比較的厚手の紙のことであり、袋本体１の素材である布帛よりも高剛性という意味である。また、この紙にはポリエチレン樹脂等の低融点合成樹脂がラミネート又はコーティングされていてもよい。かかる低融点合成樹脂は、袋本体１と貼着する際の接着剤として用いることもできる。紙製係止具２は、その下部に非貼着部位２ａを持っており、この非貼着部位２ａが袋本体１から引き起こされて、カップの上縁に係止される部位となる。係止具２の上部は袋本体１と貼着されており、図５に図示されたように、袋本体１の上辺α及び上左右辺β及びγに沿うと共に、袋本体１の下左右辺δ及びεの上部近傍に至って貼着されている。そして、袋本体１の下左右辺δ及びεの上部近傍に位置する表裏の紙製係止具２の部位２ｂは、表裏間で接着されている。この接着は、袋本体１を構成している熱可塑性繊維の溶融固化により、基本的になされている。紙製係止具２の素材として、低融点合成樹脂がラミネート又はコーティングされたものである場合は、低融点合成樹脂も部位２ｂの表裏間での接着に寄与していてもよい。なお、参考のため、符号等を付していない状態の嗜好性飲料抽出袋の表面図を図６に示した。
【００１１】
本発明に係る嗜好性飲料抽出袋の口を開くと、口１ａの形状は図７に示したものとなる。すなわち、上辺αと上左右辺β及びγで口１ａが形成されると共に、下左右辺δ及びεに沿った熱封緘部３の上端が左右に現れる。そして、この熱封緘部３の内側に紙製係止具２の部位２ｂが存在する。部位２ｂにおいて、表裏の紙製係止具２は接着されている。口１ａを開いた状態で注湯すると、袋が沈み込み口１ａが内方に縮む。すなわち、部位２ｂには図７中の矢印方向に向けて外力が負荷されることになる。しかるに、部位２ｂにおいて表裏の紙製係止具２が接着されていると、補強効果によってこの外力に対抗し、口１ａが内方に縮みにくくなる。なお、上辺αの位置においては、図７中で図示していないが、紙製係止具２の非貼着部位２ａが引き起こされてカップの上縁に係止されているので、口１ａが内方に向けて縮むことはない。一方、図４に示した嗜好性飲料抽出袋の場合は、熱封緘部３の内側に紙製係止具２の部位２ｂが存在しないため、補強効果はがなく、口１ａが内方に縮みやすくなっている（図８）。
【発明の効果】
【００１２】
本発明に係る嗜好性飲料抽出袋は、その口を開いて注湯したとき、口が内方に縮みにくく、カップの上縁から口が離れにくいものである。したがって、注湯時に、熱湯が口の外にこぼれにくく、安定して注湯することができるという効果を奏する。
【図面の簡単な説明】
【００１３】
【図１】従来の一例に係る嗜好性飲料抽出袋の表面図である。
【図２】従来の他の例に係る嗜好性飲料抽出袋の表面図である。
【図３】先願発明及び本発明の袋本体の形状の一例を示す表面図である。
【図４】先願発明の一例に係る嗜好性飲料抽出袋の表面図（表面写真）である。裏面図は表面図と同一である。なお、黒地色の箇所は背景であり、右端の白地色の箇所は符号を書するために設けたものである。
【図５】本発明の一例に係る嗜好性飲料抽出袋の表面図（表面写真）である。裏面図は表面図と同一である。なお、黒地色の箇所は背景であり、右端の白地色の箇所は符号を書するために設けたものである。
【図６】図５において、符号及び引き出し線を除いた図である。
【図７】図５及び図６に示した嗜好性飲料抽出袋の係止具を引き起こして、袋本体の口を開いたときの平面図である。
【図８】図４に示した嗜好性飲料抽出袋の係止具を引き起こして、袋本体の口を開いたときの平面図である。
【符号の説明】
【００１４】
１          袋本体
１ａ        袋本体の口
１ｂ        袋本体の底部
２          紙製係止具
２ａ        紙製係止具の非貼着部
２ｂ        表裏の紙製係止具が接着されている部位
α          略五角形片の上辺
β          略五角形片の上右辺
γ          略五角形片の上左辺
δ          略五角形片の下右辺
ε          略五角形片の下左辺
【図１】
2015223270.tif 000006
【図２】
2015223270.tif 000007
【図３】
2015223270.tif 000008
【図７】
2015223270.tif 000009
【図８】
2015223270.tif 000010
【図４】
2015223270.tif 000011
【図５】
2015223270.tif 000012
【図６】
2015223270.tif 000013